(57)【要約】      （修正有）【課題】空調システムと廃熱利用システムを含むエネルギー統合型供給装置を提供する。【解決手段】空調システムは第１蒸発器１１０と第２蒸発器１２０、圧縮機１３０及び膨張装置１４０を含み、第１蒸発器と第２蒸発器はそれぞれ膨張装置が送り込んだ低温冷媒を利用して冷気を発生させると同時に、低温冷媒を高温冷媒に変換して、圧縮機に送り出して高温冷媒を加圧する。また、廃熱利用システムは凝縮器２１０と給湯器２２０を含み、それぞれ高温冷媒を利用して熱エネルギーを発生させると同時に、高温冷媒を低温冷媒に変換して、膨張装置に送り出して低温冷媒を降圧する。【選択図】図１
0003156791.tif 000002
【実用新案登録請求の範囲】
【請求項１】
エネルギー統合型供給装置であって、
第１蒸発器と第２蒸発器、圧縮機及び膨張装置を含み、前記第１蒸発器と前記第２蒸発器は前記膨張装置が送り込んだ低温冷媒を利用して冷気を発生させると同時に、前記低温冷媒を高温冷媒に変換して、前記圧縮機に送り出して前記高温冷媒を加圧する空調システムと、
凝縮器と給湯器を含み、前記凝縮器と給湯器は前記高温冷媒を利用して熱エネルギーを発生させると同時に、前記高温冷媒を前記低温冷媒に変換して、前記膨張装置に送り出して前記低温冷媒を降圧する廃熱利用システムと、
を含み、前記第１蒸発器と前記第２蒸発器の間に第１配管切換弁を取付けて交互に作動させ、前記圧縮機、前記第１蒸発器、前記第２蒸発器の間に第２配管切換弁を接続して、前記圧縮機に前記第１蒸発器又は前記第２蒸発器のどちらからか前記高温冷媒を送り込み、前記膨張装置、凝縮器、給湯器の間に第３配管切換弁を接続して、前記膨張装置に凝縮器又は給湯器のどちらからか前記低温冷媒を送り込み、さらに前記圧縮機、前記給湯器、前記凝縮器の間に第４配管切換弁を接続して、前記圧縮機が前記給湯器又は前記凝縮器に高温冷媒を送り出して、前記給湯器又は前記凝縮器を交互に作動させることを特徴とするエネルギー統合型供給装置。
【請求項２】
前記第２蒸発器は曲線状配管とファンを含み、前記曲線状配管の一端は前記第１配管切換弁に接続し、他端は前記第２配管切換弁に接続して、前記曲線状配管の中間部は平面上に幾度も往復するように湾曲させて湾曲部を形成し、前記ファンは前記湾曲部の一側に設置して前記湾曲部と平行にすることを特徴とする請求項1に記載のエネルギー統合型供給装置。
【請求項３】
、
前記凝縮器は曲線状配管とファンを含み、前記曲線状配管の一端は前記第３配管切換弁に接続し、他端は前記第４配管切換弁に接続して、前記曲線状配管の中間部は平面上に幾度も往復するように湾曲させて湾曲部を形成し、前記ファンは前記湾曲部の一側に設置して前記湾曲部と平行にすることを特徴とする請求項1に記載のエネルギー統合型供給装置。
【請求項４】
前記給湯器は水槽、熱伝導板及び螺旋状配管を含み、前記水槽内にはスペースを形成し、前記熱伝導板は前記水槽内に設けて前記スペースを第1スペースと第2スペースに分割し、前記熱伝導板の両側にはそれぞれ第1間隙と第2間隙を形成して前記第1スペースと前記第2スペースと連通させ、前記螺旋状配管は前記第1スペース内に設置して、前記高温冷媒を利用して前記水槽内の液体を加熱し、前記液体は第1間隙と第2間隙によって冷熱循環することを特徴とする請求項1に記載の装置。
【考案の詳細な説明】
【技術分野】
【０００１】
本考案は冷房装置、乾燥機、給湯器機能を同時に備えたエネルギー統合型供給装置に関する。
【背景技術】
【０００２】
一般の冷房装置の作動原理は先ず室内の空気から熱量を吸収した上で、これらの熱量を室外に排出する。然しながら、こうした方法は室内の気温を下げるという目的は達せられるものの、室外の温度が上昇するというマイナス効果を招く。特に酷暑の季節になると、各建造物内に遍く設置された冷房装置が競い合うように室外に廃熱を排出して、室外にいる人が耐えられなくなってしまう。また、余分な熱エネルギーを直接室外に排出して利用しないことも資源の無駄遣いといえる。こうして上記の原因がもとで、一般の冷房装置は人々に度々非難されることとなる。
【０００３】
このため環境保護や資源の再利用といった時流に推されて、冷房装置の廃熱を再利用した多くの方策が次々に提案されている。こうした方策は環境への負担を減らすと共に、回収した熱エネルギーを利用して超過収益を得ることを意図している。このうち、廃熱を利用して湯を沸かしたり暖房としたりするのはよくある方法であり、機運に乗じて登場したヒートポンプ給湯器等の廃熱回収設備も次第に普及している。
【考案の概要】
【考案が解決しようとする課題】
【０００４】
本考案の目的は、先行技術に比べて一層多様化した機能を提供できるエネルギー統合型供給装置を提供することにある。
【課題を解決するための手段】
【０００５】
本考案のエネルギー統合型供給装置は空調システムと廃熱利用システムを含み、空調システムは第１蒸発器と第２蒸発器、圧縮機及び膨張装置を含み、第１蒸発器と第２蒸発器はそれぞれ膨張装置が送り込んだ低温冷媒を利用して冷気を発生させることができると同時に、低温冷媒を高温冷媒に変換して、圧縮機に送り出して高温冷媒を加圧する。また、廃熱利用システムは凝縮器と給湯器を含み、それぞれ高温冷媒を利用して熱エネルギーを発生させることができると同時に、高温冷媒を低温冷媒に変換して、膨張装置に送り出して低温冷媒を降圧する。
【図面の簡単な説明】
【０００６】
【図１】本考案のエネルギー統合型供給装置の実施例の概略図である。
【図２】図１に示すエネルギー統合型供給装置の給湯器の断面図である。
【図３】図１に示すエネルギー統合型供給装置の使用実施例の概略図である。
【考案を実施するための形態】
【０００７】
以下、添付図面を参照して本考案の実施の形態を詳細に説明する。
【実施例】
【０００８】
図1に示すように、このエネルギー統合型供給装置は空調システムと廃熱利用システムを含み、前記空調システムは第１蒸発器１１０、第２蒸発器１２０、圧縮機１３０及び膨張装置１４０を含む。このうち、第１蒸発器１１０と第２蒸発器１２０はそれぞれ膨張装置１４０が送り込んだ低温冷媒を利用して冷気を発生させることができると同時に、低温冷媒を高温冷媒に変換して、圧縮機１３０に送り出して加圧し、第１蒸発器１１０は室内に冷気を提供し、第２蒸発器１２０は冷風を発生させて室外に掛かっている衣類を乾燥させる。前記廃熱利用システムは凝縮器２１０と給湯器２２０を含み、それぞれ高温冷媒を利用して熱風を発生させ湯を沸かすことができると同時に、高温冷媒は低温冷媒に変換されて、膨張装置１４０に送り出されて低温冷媒を降圧する。
【０００９】
第１配管切換弁３００は膨張装置１４０、第１蒸発器１１０及び第２蒸発器１２０との間に接続して、膨張装置１４０が低温冷媒を第１蒸発器１１０又は第２蒸発器１２０のどちらかに送り出して、第１蒸発器１１０と第２蒸発器１２０を交互に作動させ、第２配管切換弁４００は圧縮機１３０、第１蒸発器１１０及び第２蒸発器１２０の間に接続して、圧縮機１３０に第１蒸発器１１０又は第２蒸発器１２０のどちらかから高温冷媒を送り込む。第３配管切換弁５００は膨張装置１４０、凝縮器２１０及び給湯器２２０の間に接続し、膨張装置１４０に凝縮器２１０又は給湯器２２０のどちらからか低温冷媒を送り込む。第４配管切換弁６００は圧縮機１３０、給湯器２２０及び凝縮器２１０の間に接続し、圧縮機１３０が高温冷媒を給湯器２２０又は凝縮器２１０のどちらかに送り出して、給湯器２２０及び凝縮器２１０を交互に作動させる。
【００１０】
前記第２蒸発器１２０は曲線状配管１２１とファン１２２を含み、曲線状配管１２１の一端は第１配管切換弁３００に接続し、他端は第２配管切換弁４００に接続して、中間部は平面上に幾度も往復するように湾曲させて湾曲部を形成し、ファン１２２は湾曲部の上方に設置して湾曲部と平行にする。ファン１２２は曲線状配管１２１内の温度の発散を加速すると共に、冷風を発生させてベランダに掛かっている衣類を乾燥させる。凝縮器２１０は曲線状配管２１１とファン２１２を含み、曲線状配管２１１の一端は第３配管切換弁５００に接続し、他端は第４配管切換弁６００に接続して、中間部は平面上に幾度も往復するように湾曲させて湾曲部を形成し、ファン２１２は湾曲部の上方に設置して湾曲部と平行にする。ファン１２２は曲線状配管２１１内の温度の発散を加速すると共に、熱風を発生させてベランダに掛かっている衣類を乾燥させる。
【００１１】
給湯器２２０は水槽２２１、熱伝導板２２２及び螺旋状配管２２３を含む。図２に示すように、中空の水槽２２１内部にはスペースを形成して液体をその中に入れる。熱伝導板２２２は水槽２２１内に設けてその内部スペースを第1スペース２２４と第2スペース２２５に分割する。熱伝導板２２２の上下両側にはそれぞれ第1間隙２２６と第2間隙２２７を形成して第1スペース２２４と第2スペース２２５と連通させ、その中の水を第1間隙２２６と第2間隙２２７によって冷熱循環させて、水槽２２１内の水温を平均にする目的を達する。螺旋状配管２２３は第1スペース２２４内に設置する。水槽２２１内に貯蔵されている水は螺旋状配管２２３内の高温冷媒によって加熱されて湯となり、配管を通じて湯を必要とする場所へ送り出す。
【００１２】
図３に示すように、第１蒸発器１１０は冷房装置の機能を実現して、室内に冷気を提供し、第２蒸発器１２０は乾燥機の機能を実現して、ベランダに掛かっている衣類を乾燥させるための冷風を発生させる。凝縮器２１０は乾燥機の機能を実現して、ベランダに掛かっている衣類を乾燥させるための熱風を発生させる。給湯器２２０はその中に貯蔵している冷水を加熱して、日常生活に必要な湯を提供する。然しながら、ニーズに応じてエネルギー統合型供給装置をベランダのその他の位置や室内或いはその他の場所に設置することもできる。
【符号の説明】
【００１３】
１１０  第１蒸発器
１２０  第２蒸発器
１２１  曲線状配管
１２２  ファン
１３０  圧縮機
１４０  膨張装置
２１０  凝縮器
２１１  曲線状配管
２１２  ファン
２２０  給湯器  
２２１  水槽
２２２  熱伝導板
２２３  螺旋状配管
２２４  第１スペース
２２５  第２スペース
３００  第１配管切換弁
４００  第２配管切換弁
５００  第３配管切換弁
６００  第４配管切換弁
【図１】
0003156791.tif 000003
【図２】
0003156791.tif 000004
【図３】
0003156791.tif 000005
【手続補正書】
【提出日】平成21年11月5日(2009.11.5)
【手続補正１】
【補正対象書類名】実用新案登録請求の範囲
【補正対象項目名】請求項３
【補正方法】変更
【補正の内容】
【請求項３】
前記凝縮器は曲線状配管とファンを含み、前記曲線状配管の一端は前記第３配管切換弁に接続し、他端は前記第４配管切換弁に接続して、前記曲線状配管の中間部は平面上に幾度も往復するように湾曲させて湾曲部を形成し、前記ファンは前記湾曲部の一側に設置して前記湾曲部と平行にすることを特徴とする請求項1に記載のエネルギー統合型供給装置。
【手続補正２】
【補正対象書類名】実用新案登録請求の範囲
【補正対象項目名】請求項４
【補正方法】変更
【補正の内容】
【請求項４】
前記給湯器は水槽、熱伝導板及び螺旋状配管を含み、前記水槽内にはスペースを形成し、前記熱伝導板は前記水槽内に設けて前記スペースを第1スペースと第2スペースに分割し、前記熱伝導板の両側にはそれぞれ第1間隙と第2間隙を形成して前記第1スペースと前記第2スペースと連通させ、前記螺旋状配管は前記第1スペース内に設置して、前記高温冷媒を利用して前記水槽内の液体を加熱し、前記液体は第1間隙と第2間隙によって冷熱循環することを特徴とする請求項1に記載のエネルギー統合型供給装置。